(57)【要約】      （修正有）【課題】登録された行先階に基づいて複数台のエレベータのうちのいずれかを割当可能なエレベータの群管理システムにおいて、いずれの号機も割り当てられないときの利用者の利便性を改善する。【解決手段】エレベータの群管理装置の制御装置１０は、号機のかごがロビー階を出発してロビー階にまで戻ってくるまでの１サービス期間における、ロビー階で登録された行先階呼びによる停止予定回数及び一般階で登録された行先階呼びによる停止予定回数をそれぞれカウントし、一般階での行先階呼びに対して号機の割当を行った場合に、停止予定回数が所定の一般階停止回数制限値を超えるときは、当該行先階呼びに対する号機の割当を保留し、または行わないようにし、ロビー階での行先階呼びに対して号機の割当を行った場合に、停止予定回数が所定のロビー階停止回数制限値を超えるときは、所定のロビー階停止回数制限値を増加させて、号機の割当を行う。【選択図】図１
2015048184.tif 000002
【特許請求の範囲】
【請求項１】
ロビー階及び一般階に配置され、利用者が行先階を登録するための行先階登録装置と、前記行先階登録装置で登録された行先階呼びに対して複数台の号機のうちのいずれかを割り当てる制御装置とを備えた、エレベータの群管理システムであって、
前記制御装置は、
各号機毎に、号機のかごが前記ロビー階を出発して所定の階まで上昇した後、前記ロビー階にまで戻ってくるまでの１周期間における、前記ロビー階で登録された行先階呼びによる停止予定回数及び前記一般階で登録された行先階呼びによる停止予定回数をそれぞれカウントし、
前記一般階での行先階呼びに対して号機の割当を行ったと仮定した場合に、前記一般階での行先階呼びによる停止予定回数が所定の一般階停止回数制限値を超えることとなるときは、当該行先階呼びに対する号機の割当を保留し、もしくは号機の割当を行わないようにし、
前記ロビー階での行先階呼びに対して号機の割当を行ったと仮定した場合に、前記ロビー階での行先階呼びによる停止予定回数が所定のロビー階停止回数制限値を超えることとなるときは、前記所定のロビー階停止回数制限値を増加させて、号機の割当を行う、
エレベータの群管理装置。
【請求項２】
前記行先階登録装置は、号機の割当に関する情報を表示する表示部を備え、
前記一般階での行先階呼びに対する号機の割当を保留する場合、前記制御装置は、号機の割当が保留された行先階呼びが登録された行先階登録装置の表示部に、号機の割当を保留する旨の情報を表示させる、
請求項１記載のエレベータの群管理装置。
【請求項３】
前記制御装置は、号機の割当を保留した行先階呼びに対して所定周期で号機の再割当制御を行う、
請求項１または請求項２記載のエレベータの群管理装置。
【発明の詳細な説明】
【技術分野】
【０００１】
本発明は、登録された行先階に基づいて複数台のエレベータのうちのいずれかを割当可能なエレベータの群管理システムに関する。
【背景技術】
【０００２】
特許文献１には、利用者が行先階を登録するための行先階登録装置と、前記行先階登録装置で登録された行先階に基づいて複数台の号機のうちのいずれかの号機を割り当てる制御装置とを備えた、エレベータの群管理システムが開示されている。制御装置は、割り当てた号機を示す情報を行先階登録装置の表示部に表示させる。また、制御装置は、いずれの号機も割り当てられないときは、行先階登録装置の表示部にエラー表示や行先階登録の禁止を示す表示を行わせる。
【先行技術文献】
【特許文献】
【０００３】
【特許文献１】特開２０１１−３２０５３号公報
【発明の概要】
【発明が解決しようとする課題】
【０００４】
特許文献１に記載のエレベータの群管理システムでは、割当が行えないときに、利用者が多いロビー階の混雑が予想される。
【０００５】
本発明は、登録された行先階に基づいて複数台のエレベータのうちのいずれかを割当可能なエレベータの群管理システムにおいて、いずれの号機も割り当てられないときのロビー階の混雑を抑制し、利用者の利便性を改善することを目的とする。
【課題を解決するための手段】
【０００６】
本発明のエレベータの群管理システムは、ロビー階及び一般階に配置され、利用者が行先階を登録するための行先階登録装置と、行先階登録装置で登録された行先階呼びに対して複数台の号機のうちのいずれかを割り当てる制御装置とを備える。
制御装置は、
各号機毎に、号機のかごが前記ロビー階を出発して所定の階まで上昇した後、ロビー階にまで戻ってくるまでの１周期間における、ロビー階で登録された行先階呼びによる停止予定回数及び一般階で登録された行先階呼びによる停止予定回数をそれぞれカウントし、
一般階での行先階呼びに対して号機の割当を行ったと仮定した場合に、一般階での行先階呼びによる停止予定回数が所定の一般階停止回数制限値を超えることとなるときは、当該行先階呼びに対する号機の割当を保留し、もしくは号機の割当を行わないようにし、
ロビー階での行先階呼びに対して号機の割当を行ったと仮定した場合に、ロビー階での行先階呼びによる停止予定回数が所定のロビー階停止回数制限値を超えることとなるときは、所定のロビー階停止回数制限値を増加させて、号機の割当を行う。
【発明の効果】
【０００７】
本発明によれば、一般階での行先階呼びによる停止予定回数が所定の一般階停止回数制限値を超えることとなるときに、一般階での行先階呼びに対する号機の割当を保留しもしくは行わないようにすることにより、ロビー階における行先階呼びに対して号機の割当が迅速に行われることとなる。したがって、ロビー階にいる利用者は、速やかにエレベータに乗車することができ、ロビー階の混雑が抑制されることとなる。そのため、利用者の利便性が改善されることとなる。
【図面の簡単な説明】
【０００８】
【図１】実施形態１に係るエレベータの群管理システムの構成を示すブロック図である。
【図２】実施形態１に係るエレベータの群管理システムの行先階登録装置の構成を示すブロック図である。
【図３】実施形態１に係るエレベータの群管理システムのエレベータ及び行先階登録装置のエレベータホールへの配置例を示す図である。
【図４】実施形態１に係るエレベータの群管理システムにおいて実行される各号機の停止予定回数のカウント動作の流れを示すフローチャートである。
【図５】実施形態１に係る制御装置において実行される一般階での行先階呼びに対する割当号機の決定及び割当保留処理の流れを示すフローチャートである。
【図６】実施形態１において行先階呼びが処理される過程での行先階登録装置の表示部への表示例を示す図である。
【図７】実施形態１に係る制御装置において実行されるロビー階における割当号機の決定処理の流れを示すフローチャートである。
【図８】実施形態１に係るエレベータの群管理システムによる効果を説明するための図であり、複数の号機のうちのある号機の予測稼働状態の一例を示す図である。
【図９】実施形態２に係る制御装置において実行されるロビー階における割当号機の決定処理の流れを示すフローチャートである。
【図１０】実施形態２において行先階呼びが処理される過程での行先階登録装置の表示部への表示例を示す図である。
【図１１】発明の課題を説明するための図である。
【発明を実施するための形態】
【０００９】
本発明の実施形態に係るエレベータの群管理システムについて図面を参照して説明する。
【００１０】
（発明に至った経緯）
実施形態について説明する前に本発明に至った経緯について説明する。
【００１１】
図１１は、発明の課題を説明するための図である。図１１（ａ）は、従来におけるオフィスビル等での出勤時のエレベータの交通状況を示す図である。従来のオフィスビルにおいては、ほとんどの利用者はロビー階に発生し、一般階へ向かう。このような場合、利用者全員の行先階を、乗場行先階登録システムが把握することができ、ロビー階の利用者を行先階毎にグルーピングしていずれかの号機に割当てることで、各号機がロビー階を出発してから当該ロビー階に戻ってくるまでの停止回数を減らすことができる。これにより、オフィスビル等での出勤時のエレベータの輸送性能を向上させることができる。例えば、（輸送能力向上による）ロビー階の混雑解消、エレベータに乗車するまでの平均待ち時間の短縮、平均サービス完了時間の短縮である。平均サービス完了時間とは、全利用者が行先階を入力してから行先階に到着するまでの時間の平均である。
【００１２】
図１１（ｂ）は、近年におけるオフィスビル等での出勤時のエレベータの交通状況を示す図である。近年、オフィスビル内に店舗、レストラン、カフェ等が設置される場合も多く、そのため、図１１（ｂ）に示すような交通が発生するケースが増加している。具体的には、ロビー階に多数の利用者が発生しているが、同時に一般階でも多くの利用者が発生している。このような交通ではロビー階の利用者をグルーピングしても、各エレベータは一般階の利用者に対してもサービスを行う必要がある。そのため、各エレベータの停止回数をあまり減らすことができず、乗場行先階登録システムの効果が薄れてしまっていた。つまり、ロビー階の混雑解消を目的として乗場行先階登録システムを導入しても、ロビー階での混雑を解消できないことがある。本発明は、このような問題を解決することを目的とし、以下の実施形態の構成を採用する。
【００１３】
（実施形態１）
１．構成
図１は、実施形態１に係るエレベータの群管理システムの構成を示すブロック図である。
【００１４】
エレベータの群管理システムは、制御装置１０、及び行先階登録装置２０を有する。エレベータの群管理システムは、複数台のエレベータ３０の走行を統合的に制御する。また、エレベータの群管理システムは、行先階登録装置２０で登録された行先階呼びに対して複数台のエレベータ３０のうちのいずれかを割当てる制御を行う。本実施形態では、行先階登録装置２０は、ビルの各階に配備されているものとする。また、ビルのロビー階には複数台の行先階登録装置２０が備えられているものとする。ここで、本実施形態において、ロビー階とは、例えばビルの外部と連絡する階やエントランスがある階である。なお、それ以外の一般階であっても、ロビー階と同等に混雑する階については、ロビー階として扱ってもよい。つまり、ロビー階と同等に混雑する一般階については、以後説明するロビー階での行先階呼びに対する処理と同様の処理を適用してもよい。
【００１５】
制御装置１０は、制御部１１、記憶部１２、及び入出力インタフェース１３を備える。
【００１６】
制御部１１は、記憶部１２に記憶されたプログラムを実行して種々の制御を行う。
【００１７】
記憶部１２は、プログラム、及び種々のデータを記憶している。
【００１８】
入出力インタフェース１３は、行先階登録装置２０及び複数のエレベータ３０との間で信号を送受信するためのインタフェースである。入出力インタフェース１３は、制御部１１から出力される信号を所定の形式の信号に変換して出力する。また、入出力インタフェース１３は、行先階登録装置２０及び複数のエレベータ３０から入力された信号を所定の形式の信号に変換して制御部１１に出力する。
【００１９】
図２は、実施形態１に係るエレベータの群管理システムの行先階登録装置２０の構成を示すブロック図である。
【００２０】
行先階登録装置２０は、制御部２１、記憶部２２、入出力インタフェース２３、表示部２４、及び操作部２５を有する。
【００２１】
制御部２１は、記憶部２２に記憶されたプログラムを実行して種々の制御を行う。
【００２２】
記憶部２２は、プログラム、及び種々のデータを記憶している。データとして、例えば、当該行先階登録装置２０のＩＤや設置階を記憶している。
【００２３】
入出力インタフェース２３は、制御装置１０との間で信号を送受信するためのインタフェースである。入出力インタフェース２３は、制御部２１から出力される信号を所定の形式の信号に変換して出力する。また、入出力インタフェース２３は、制御装置１０から入力された信号を所定の形式の信号に変換して制御部２１に出力する。
【００２４】
表示部２４は、制御部２１から出力される表示信号に基づく表示を行う。本実施形態では、表示部２４はタッチパネルにより構成されている。
【００２５】
操作部２５は、利用者が行先階を入力するためのインタフェースである。操作部２５は、表示部２４に表示された階数ボタン等の操作ボタンにより構成される。操作ボタンに対してタッチ操作が行われると、操作部２５は、操作内容に対応する信号を制御部２１に出力する。なお、操作部２５は、タッチパネルでなく、物理的な押しボタン等を利用して構成してもよい。
【００２６】
図３は、実施形態１に係るエレベータの群管理システムのエレベータ３０及び行先階登録装置２０のエレベータホールへの配置例を示す図である。
【００２７】
本例では、３台のエレベータ３０がエレベータホールに配置されている。各エレベータの上部には、号機を示す表示「Ａ」、「Ｂ」、「Ｃ」が配されている。また、エレベータホールの壁面には、行先階登録装置２０が配置されている。利用者は、行先階登録装置２０で行先階を指定し、表示部２４に表示された号機の前に行き、当該号機のかごの到着を待つ。
【００２８】
２．動作
エレベータの群管理システムにおいて実行される動作を説明する。本実施形態において、制御装置１０は、各号機について１周期間（ロビー階からある行先階まで上昇後、この行先階からロビー階に戻ってくるまでの期間）における停止予定回数を、ロビー階での行先階呼びによる停止予定回数と、一般階での行先階呼びによる停止予定回数とに分離してカウントする。そして、それらの停止予定回数に基づき、制御装置１０は、各行先階呼びに対して割当号機を決定する、または割当の保留を行う。以下、詳しく説明する。
【００２９】
制御装置１０は、各号機の停止予定回数を行先階登録装置２０で行先階が入力された時にカウントする。図４は、実施形態１に係るエレベータの群管理システムにおいて実行される各号機の停止予定回数のカウント動作の流れを示すフローチャートである。
【００３０】
まず、制御装置１０は、かご番号ｉとして１を設定する（Ｓ１０）。なお、かごと号機は１対１で対応するのでかご番号ｉは号機の番号でもある。
【００３１】
制御装置１０は、ＣＧとして０を設定し、ＣＬとして０を設定する（Ｓ１１）。ＣＧは、一般階の行先階呼びによる停止予定回数である。ＣＬは、ロビー階の行先階呼びによる停止予定回数である。一般階とは、ロビー階以外の階である。
【００３２】
制御装置１０は、演算対象階ｆとしてロビー階を設定し、エレベータの走行方向ｄとして上昇（ＵＰ）を設定する（Ｓ１２）。
【００３３】
制御装置１０は、演算対象階ｆがロビー階でないか否かを判断する（Ｓ１３）。
【００３４】
演算対象階ｆがロビー階でないときは（Ｓ１３でＹＥＳ）、制御装置１０は、（ａ）登録の行われた階（登録階）がロビー階であること、及び（ｂ）演算中の号機ｉが、行先階がｆ階である行先階乗場呼びを有すること、の両方の条件を満足するか否かを判定する（Ｓ１４）。
【００３５】
ステップＳ１４において（ａ）、（ｂ）の両方の条件が満足されるとき（Ｓ１４でＹＥＳ）、制御装置１０は、現在のＣＬの値に１を加算する（Ｓ１５）。
【００３６】
ステップＳ１４において（ａ）、（ｂ）の両方またはいずれか一方の条件が満足されないときは（Ｓ１４でＮＯ）、制御装置１０は、登録階が演算対象階ｆで走行方向ｄの行先階乗場呼びを有するか否かを判定する（Ｓ１６）。
【００３７】
登録階が演算対象階ｆで走行方向ｄの行先階乗場呼びを有するとき（Ｓ１６でＹＥＳ）、制御装置１０は、現在のＣＧの値に１を加算する（Ｓ１７）。
【００３８】
登録階が演算対象階ｆである走行方向ｄの行先階乗場呼びを有していないとき（Ｓ１６でＮＯ）、制御装置１０は、（ａ）登録階がロビー階でないこと、（ｂ）行先階が演算対象階ｆで走行方向ｄの行先階乗場呼びを有すること、の両方の条件を満足するか否かを判定する（Ｓ１８）。
【００３９】
ステップＳ１８において（ａ）、（ｂ）の両方の条件が満足されるとき（Ｓ１８でＹＥＳ）、制御装置１０は、前記ステップＳ１７の処理を実行する。
【００４０】
ステップＳ１５またはステップＳ１７の実行後、あるいはステップＳ１８において（ａ）、（ｂ）の両方またはいずれか一方の条件が満足されないときは（Ｓ１８でＮＯ）、制御装置１０は、演算対象階ｆが反転予想階か否かを判定する（Ｓ１９）。反転予想階とは、かごの走行方向が上方向の走行から下方向の走行に変わる階である。
【００４１】
演算対象階ｆが反転予想階であるとき（Ｓ１９でＹＥＳ）、制御装置１０は、走行方向ｄをＤＯＷＮに設定する（Ｓ２０）。
【００４２】
演算対象階ｆが反転予想階でないとき（Ｓ１９でＮＯ）、あるいはステップＳ２０の実行後、制御装置１０は、演算対象階ｆを更新する（Ｓ２１）。具体的に、制御装置１０は、走行方向ｄがＵＰのときは、演算対象階ｆに１を加算し、走行方向ｄがＤＯＷＮとのときは、演算対象階ｆから１を減算する。
【００４３】
制御装置１０は、演算対象階ｆがロビー階でかつ走行方向ｄがＤＯＷＮか否かを判定する（Ｓ２２）。
【００４４】
演算対象階ｆがロビー階でかつ走行方向ｄがＤＯＷＮであるとき（Ｓ２２でＹＥＳ）、制御装置１０は、全号機の停止予定回数のカウントが完了したか否かを判定する（Ｓ２３）。
【００４５】
全号機の停止予定回数のカウントが完了したとき（Ｓ２３でＹＥＳ）、制御装置１０は、本フローチャートによる停止予定回数のカウント処理を終了する。
【００４６】
一方、演算対象階ｆがロビー階でかつ走行方向ｄがＤＯＷＮであるという条件が満足されないとき（Ｓ２２でＮＯ）、制御装置１０は、前記ステップＳ１４以後の処理を実行する。
【００４７】
また、全号機の停止予定回数のカウントが完了していないとき（Ｓ２３でＮＯ）、制御装置１０は、かご番号ｉに１を加算し（Ｓ２４）、前記ステップＳ１１以後の処理を実行する。
【００４８】
次に、一般階での行先階呼びに対する割当号機の決定及び割当保留処理について図５を参照して説明する。図５は、制御装置１０において実行される一般階での行先階呼びに対する割当号機の決定及び割当保留処理の流れを示すフローチャートである。
【００４９】
まず、制御装置１０は、かご番号ｉとして１を設定する（Ｓ３１）。
【００５０】
制御装置１０は、図４のフローチャートにしたがった処理によって算出されたｉ号機（かごｉ）の一般階での行先階呼びによる停止予定回数ＣＧを読み込む（Ｓ３２）。
【００５１】
制御装置１０は、ｉ号機における一般階での行先階呼びによる停止予定回数ＣＧが一般階の停止回数制限値よりも小さいか否かを判定する（Ｓ３３）。
【００５２】
ｉ号機における一般階での行先階呼びによる停止予定回数ＣＧが一般階の停止回数制限値よりも小さいとき（Ｓ３３でＹＥＳ）、制御装置１０は、ｉ号機を割当候補号機として設定する（追加する）（Ｓ３４）。
【００５３】
ｉ号機における一般階での行先階呼びによる停止予定回数ＣＧが一般階の停止回数制限値よりも小さくないとき（Ｓ３３でＮＯ）、またはステップＳ３４の処理の実行後、制御装置１０は、全ての号機について割当候補号機の決定が完了したか否かを判定する（Ｓ３５）。
【００５４】
全ての号機についての割当候補号機の決定が完了していないとき（Ｓ３５でＮＯ）、制御装置１０は、かご番号ｉに１を加算し（Ｓ３６）、ステップＳ３２以後を実行する。
【００５５】
全ての号機についての割当候補号機の決定が完了したとき（Ｓ３５でＹＥＳ）、制御装置１０は、割当候補号機が１台以上存在するか否かを判定する（Ｓ３７）。
【００５６】
割当候補号機が１台以上存在するとき（Ｓ３７でＹＥＳ）、制御装置１０は、割当候補号機の中から割当号機を決定する（Ｓ３８）。割当候補号機の中からの１台の割当号機の選択は、所定の手順にしたがって行われる。この所定の手順は、公知の技術が利用可能である。割当号機を決定すると、制御装置１０は、利用者により行先階の入力が行われた行先階登録装置２０の表示部２４に割当号機を示す情報を表示させる。具体的に、制御装置１０は、利用者により行先階の入力が行われた行先階登録装置２０に、行先階登録装置２０のＩＤに基づいて割当号機を示す信号を送信し、行先階登録装置２０は、受信した割当号機を示す信号に基づいて、割当号機を示す情報を表示部２４に表示させる。
【００５７】
割当候補号機が１台以上存在しないとき（Ｓ３７でＮＯ）、制御装置１０は、割当号機の決定を保留する（Ｓ３９）。
【００５８】
制御装置１０は、所定時間Ｔ秒が経過するのを待ち（Ｓ４０）、所定時間Ｔ秒が経過すると、前記ステップＳ３１以後の処理を、再度実行する。
【００５９】
図６は、上記のように行先階呼びが処理される過程での行先階登録装置２０への表示例を示す図である。図６（ａ）は、行先階登録装置２０が登録されていない状態における表示例を示す。この状態では、行先階入力用の操作部（階数ボタン）のみが表示されている。この状態において、利用者により例えば、７階を示す階数ボタンがタッチされると、制御装置１０は、図６（ｂ）に示すように、行先階登録装置２０の表示部２４に、行先階を示す情報「７Ｆ」を表示させる。そして、号機割当が可能な場合、制御装置１０は、図６（ｃ）に示すように、行先階登録装置２０の表示部２４に、割当号機に関する情報「Ｂ」を表示させる。一方、号機割当が不可能な場合、制御装置１０は、図６（ｄ）に示すように、行先階登録装置２０の表示部２４に、号機の即時割当が不可能であることを示す情報「混雑中のため号機案内までしばらくお待ちください」を表示させる。
【００６０】
次に、ロビー階での行先階呼びに対する割当号機の決定及び割当保留処理について図７を参照して説明する。図７は、制御装置１０において実行されるロビー階での行先階呼びに対する割当号機の決定及び割当保留処理の流れを示すフローチャートである。
【００６１】
まず、制御装置１０は、かご番号ｉとして１を設定する（Ｓ５１）。
【００６２】
制御装置１０は、図４のフローチャートにしたがった処理によって算出されたｉ号機（かごｉ）の停止予定回数を読み込む（Ｓ５２）。
【００６３】
制御装置１０は、ｉ号機におけるロビー階での行先階呼びによる停止予定回数ＣＬがロビー階の停止回数制限値よりも小さいか否かを判定する（Ｓ５３）。
【００６４】
ｉ号機での行先階呼びによるロビー階の停止予定回数ＣＬがロビー階の停止回数制限値よりも小さいとき（Ｓ５３でＹＥＳ）、制御装置１０は、ｉ号機を割当候補号機として設定する（追加する）（Ｓ５４）。
【００６５】
ｉ号機におけるロビー階での行先階呼びによる停止予定回数ＣＬがロビー階の停止回数制限値よりも小さくないとき（Ｓ５３でＮＯ）、またはステップＳ５４の処理の実行後、制御装置１０は、全ての号機について割当候補号機の決定が完了したか否かを判定する（Ｓ５５）。
【００６６】
全ての号機についての割当候補号機の決定が完了していないとき（Ｓ５５でＮＯ）、制御装置１０は、かご番号ｉに１を加算し（Ｓ５６）、ステップＳ５２以後を実行する。
【００６７】
全ての号機についての割当候補号機の決定が完了したとき（Ｓ５５でＹＥＳ）、制御装置１０は、割当候補号機が１台以上存在するか否かを判定する（Ｓ５７）。
【００６８】
割当候補号機が１台以上存在するとき（Ｓ５７でＹＥＳ）、制御装置１０は、割当候補号機の中から割当号機を決定する（Ｓ５８）。割当候補号機の中からの１台の割当号機の選択は、所定の手順にしたがって行われる。この所定の手順は、公知の技術が利用可能である。割当号機を決定すると、制御装置１０は、利用者により行先階の入力が行われた行先階登録装置２０の表示部２４に割当号機を示す情報を表示させる。具体的に、制御装置１０は、前記図６に示すように、利用者により行先階の入力が行われた行先階登録装置２０に、行先階登録装置２０のＩＤに基づいて割当号機を示す信号を送信し、行先階登録装置２０は、受信した割当号機を示す信号に基づいて、割当号機を示す情報を表示部２４に表示させる。
【００６９】
割当候補号機が１台以上存在しないとき（Ｓ５７でＮＯ）、制御装置１０は、ロビー階の停止回数制限値に１を加算し、前記ステップＳ５１以後を再度実行する。つまり、ロビー階の停止回数制限を緩めていき、ロビー階での行先階呼びに対する号機の割当が行われるようにする。したがって、ロビー階にいる利用者は、速やかにエレベータ３０に乗車することができ、ロビー階のエレベータホールの混雑が抑制されることとなる。そのため、利用者の利便性等が改善されることとなる。
【００７０】
図８は、本実施形態による効果を説明するための図であり、複数の号機のうちのある号機の稼働状態の一例を示す図である。図８（ａ）は、従来における稼働状態を示す図である。従来においては、停止予定回数をカウントする際、ロビー階での行先階呼びによる停止（●）と一般階での行先階呼びによる停止（■）とを区別しない。図８（ａ）の例では、ロビー階を出発してからロビー階へ戻ってくるまでの停止予定回数は７回となる。そして、この停止予定回数が設定した制限値を越えないように行先階割当が行なわれる。しかし、どの号機に割当てても停止回数制限値を越える場合は、停止回数制限値が緩められていき（１ずつ大きくされていき）、割当号機が必ず決定される。したがって、必ず、割当号機が決定され、即時に号機案内が行われる。
【００７１】
これに対し、本実施形態では、制御装置１０は、ロビー階での行先階呼びによる制限と一般階での行先階呼びによる制限とを別々に扱う。すなわち、ロビー階においては、制御装置１０は、ロビー階の行先階呼びによる停止（●）のみをカウントする。停止回数制限値は予め設定する。もし、どの号機に割当てても制限値を越える場合は、制御装置１０は、停止回数制限値を緩めていき（１ずつ大きくしていき）、割当号機を必ず決定する。これにより、割当号機が必ず決定され、ロビー階での行先階呼びに対して、必ず即時の号機案内が行われる。一方、一般階においては、制御装置１０は、一般階の行先階呼びによる停止（■）のみをカウントする。停止回数制限値は予め設定されている。もし、どの号機に割当てても制限値を越える場合は、制御装置１０は、割当号機を決定せず、割当を保留する。行先階登録装置２０には前述のように「混雑中のため号機案内までしばらくお待ち下さい」等のメッセージを表示する。制御装置１０は、割当保留された行先階呼びについては割当号機が決定するまで一定間隔（例えば１秒間隔）で割当演算を行う。
【００７２】
従来においては、いずれの号機においても停止予定階数が停止階数制限値を超す場合、停止階数制限値を超しても、いずれかの号機を割り当てる。例えば、図８（ａ）に示すように、一般階においてある号機に下方向の行先階呼びが発生し、これにより停止階数制限値を超す場合でも、ある号機を割当てる。そのため、当該号機の停止予定回数（停止回数）は「４」となる。本実施形態では、例えば、矢印Ｘで示す一般階での行先階呼びにより停止予定階数が停止階数制限値「２」を越える場合、当該行先階呼びに対する号機の割当ては即時には行われず、保留される。そのため、当該号機のかごがロビー階へ戻ってくるまでの停止回数が従来と比較して２回減少し、その結果、当該号機のかごがロビー階へ戻ってくるまでの時間がＴで示す時間だけ短縮される。このようにロビー階へ各エレベータ（号機のかご）を早く戻すことにより、ロビー階のサービス性を向上させることができる。また、ロビー階の輸送能力も向上させることができる。これにより、ロビー階のエレベータホールの混雑が抑制され利用者の利便性が改善される。
【００７３】
３．まとめ
以上のように、本実施形態に係るエレベータの群管理装置は、
ロビー階及び一般階に配置され、利用者が行先階を登録するための行先階登録装置２０と、行先階登録装置２０で登録された行先階呼びに対して複数台の号機のうちのいずれかを割り当てる制御装置１０とを備える。
制御装置１０は、
号機のかごがロビー階を出発して所定の階まで上昇した後、ロビー階にまで戻ってくるまでの１周期間における、ロビー階で登録された行先階呼びによる停止予定回数ＣＬ及び一般階で登録された行先階呼びによる停止予定回数ＣＧをそれぞれカウントし、
一般階での行先階呼びに対して号機の割当を行ったと仮定した場合に、一般階での行先階呼びによる停止予定回数ＣＧが所定の一般階停止回数制限値を超えることとなるときは、当該行先階呼びに対する号機の割当を保留し、
ロビー階での行先階呼びに対して号機の割当を行ったと仮定した場合に、ロビー階での行先階呼びによる停止予定回数ＣＬが所定のロビー階停止回数制限値を超えることとなる場合、所定のロビー階停止回数制限値を増加させて、号機の割当を行う。
【００７４】
これにより、一般階での行先階呼びによる停止予定回数が所定の一般階停止回数制限値を超えることとなるときに、一般階での行先階呼びに対する号機の割当を保留することにより、ロビー階における行先階呼びに対して号機の割当が行われることとなる。したがって、ロビー階にいる利用者は、速やかにエレベータ３０に乗車することができ、ロビー階のエレベータホールの混雑が抑制されることとなる。そのため、利用者の利便性等が改善されることとなる。
【００７５】
本実施形態に係るエレベータの群管理装置において、
行先階登録装置２０は、号機の割当に関する情報を表示する表示部２４を備え、
一般階での行先階呼びに対する号機の割当を保留する場合、制御装置１０は、号機の割当が保留された行先階呼びが登録された行先階登録装置２０の表示部２４に、号機の割当を保留する旨の情報を表示させる。
【００７６】
これにより、利用者は号機の割り当て保留されていることを知ることができる。
【００７７】
本実施形態に係るエレベータの群管理装置において、
制御装置１０は、号機の割当を保留した行先階呼びに対して所定周期で号機の再割当制御を行う。
【００７８】
これにより、利用者は、行先階登録装置２０で行先階を再入力しなくても、号機の割当を受けることができる。
【００７９】
（実施形態２）
本発明の実施形態２に係るエレベータの群管理システムについて図面を参照して説明する。なお、実施形態１との相違点を中心として説明する。
【００８０】
前記実施形態１に係るエレベータの群管理システムでは、一般階での行先階呼びに対して割当候補号機が存在しないときは、割当号機の決定を保留する。これに対し、実施形態２に係るエレベータの群管理システムでは、一般階での行先階呼びに対して割当候補号機が存在しないときは、号機の割当を中止する。
【００８１】
以下、実施形態２に係るエレベータの群管理システムについて詳しく説明する。
【００８２】
１．構成
本実施形態のエレベータの群管理システムのハードウェア構成は、実施形態１に係るエレベータの群管理システムと同一である。しかし、記憶部１２には、実施形態１とは異なるプログラムが記憶されている。そして、当該プログラムが制御部１１で実行されることにより、実施形態２に係るエレベータの群管理システム特有の動作が実現される。
【００８３】
２．動作
本実施形態に係るエレベータの群管理システムは、一般階における割当号機の決定処理の動作が実施形態１とは異なる。それ以外の動作は実施形態１と同一である。そのため、一般階における割当号機の決定処理を中心として説明する。
【００８４】
図９は、実施形態２に係る制御装置１０において実行される一般階における割当号機の決定処理の流れを示すフローチャートである。
【００８５】
本フローチャートのステップＳ７１〜Ｓ７８では、実施形態１の図５のフローチャートのステップＳ３１〜Ｓ３８と同一の処理が行われる。そして、ステップＳ７７の判定において、割当候補号機が１台以上存在しないとき（Ｓ７７でＮＯ）は、号機の割当を中止し（Ｓ７９）、本フローチャートの処理を終了する。
【００８６】
本実施形態のように号機の割当を中止することにより、実施形態１において図８を参照して説明した効果と同様の効果が得られる。すなわち、実施形態１においては割当を保留したが、本実施形態のように号機の割当を中止することによっても、当該号機のかごがロビー階に戻ってくるまでの停止回数が減少し、当該号機のかごがロビー階に戻ってくるまでの時間が短縮される。このようにロビー階へ各エレベータ（号機のかご）を早く戻すことにより、ロビー階のサービス性を向上させることができる。また、ロビー階の輸送能力も向上させることができる。これにより、ロビー階のエレベータホールの混雑が抑制され利用者の利便性が改善される。
【００８７】
図１０は、実施形態２において行先階呼びが処理される過程での行先階登録装置の表示部への表示例を示す図である。
【００８８】
実施形態２では、号機の割当を中止すると、制御装置１０は、図１０に示すように、行先階登録装置２０の表示部２４に、号機の割当を行えないことを示す情報「混雑中のため号機案内できません。しばらくしてから再入力して下さい」を表示させる。これにより、一般階の利用者は、混雑中のためしばらくしてから再入力する必要があることを認識することができる。
【００８９】
３．まとめ
以上説明したように、実施形態２に係るエレベータの群管理システムにおいては、
制御装置１０は、
号機のかごがロビー階を出発して所定の階まで上昇した後、ロビー階にまで戻ってくるまでの１周期間における、ロビー階で登録された行先階呼びによる停止予定回数ＣＬ及び一般階で登録された行先階呼びによる停止予定回数ＣＧをそれぞれカウントし、
一般階での行先階呼びに対して号機の割当を行ったと仮定した場合に、一般階での行先階呼びによる停止予定回数ＣＧが所定の一般階停止回数制限値を超えることとなるときは、当該行先階呼びに対する号機の割当を行わないようにし、
ロビー階での行先階呼びに対して号機の割当を行ったと仮定した場合に、ロビー階での行先階呼びによる停止予定回数ＣＬが所定のロビー階停止回数制限値を超えることとなる場合、所定のロビー階停止回数制限値を増加させて、号機の割当を行う。
【００９０】
これにより、実施形態１同様、一般階での行先階呼びによる停止予定回数が所定の一般階停止回数制限値を超えることとなるときに、一般階での行先階呼びに対する号機の割当を行わないようにすることにより、ロビー階における行先階呼びに対して号機の割当が行われることとなる。したがって、ロビー階にいる利用者は、速やかにエレベータ３０に乗車することができ、ロビー階のエレベータホールの混雑が抑制されることとなる。そのため、利用者の利便性等が改善されることとなる。
【符号の説明】
【００９１】
１０  制御装置
１１  制御部
１２  記憶部
１３  入出力インタフェース
２０  行先階登録装置
２１  制御部
２２  記憶部
２３  入出力インタフェース
３０  エレベータ
【図１】
2015048184.tif 000003
【図２】
2015048184.tif 000004
【図３】
2015048184.tif 000005
【図４】
2015048184.tif 000006
【図５】
2015048184.tif 000007
【図６】
2015048184.tif 000008
【図７】
2015048184.tif 000009
【図８】
2015048184.tif 000010
【図９】
2015048184.tif 000011
【図１０】
2015048184.tif 000012
【図１１】
2015048184.tif 000013